(57)【要約】【課題】既存の低消費電力化技術は、自発光型の表示装置に使用できなかったり、画面の表示中には利用できない問題がある。【解決手段】同階調値が水平方向にも垂直方向にも連続して現れる同階調パターンの出現時に、当該同階調パターンを構成する一部画素の階調値だけを元の階調値より小さい階調値に変換する。具体的には、同階調値が水平方向にも垂直方向に連続して現れる同階調パターンの出現時に、当該同階調パターンの外縁以外に位置する画素の階調値を元の階調値よりも小さい階調値に変換する。【選択図】図７
2008020501.tif 000002
【特許請求の範囲】
【請求項１】
同階調値が水平方向にも垂直方向にも連続して現れる同階調パターンの出現時に、当該同階調パターンを構成する一部画素の階調値だけを元の階調値より小さい階調値に変換する階調変換部
を有することを特徴とする低消費電力パターン生成装置。
【請求項２】
同階調値が水平方向にも垂直方向にも連続して現れる同階調パターンの出現時に、当該同階調パターンの外縁以外に位置する画素の階調値を元の階調値よりも小さい階調値に変換する階調変換部
を有することを特徴とする低消費電力パターン生成装置。
【請求項３】
請求項２に記載の低消費電力パターン生成装置において、
前記階調変換部は、該当画素に対応する色成分のうち一部分の色成分のみを階調値の変換対象とする
ことを特徴とする低消費電力パターン生成装置。
【請求項４】
請求項２に記載の低消費電力パターン生成装置において、
前記階調変換部は、全ての変換対象画素に同じ変換係数を適用する
ことを特徴とする低消費電力パターン生成装置。
【請求項５】
請求項２に記載の低消費電力パターン生成装置において、
前記階調変換部は、変換対象画素と表示パターンの外縁との位置関係に基づいて、変換対象画素に適用する変換係数を変更する
ことを特徴とする低消費電力パターン生成装置。
【請求項６】
請求項２に記載の低消費電力パターン生成装置において、
前記階調変換部は、変換対象画素が表示パターンの外縁から内側に離れるほど変換係数による階調値の低下度合いを大きくする
ことを特徴とする低消費電力パターン生成装置。
【請求項７】
処理対象画素とその上下左右に隣接する４つの画素の階調値が同じとき、処理対象画素の階調値を元の階調値より小さい階調値に変換する階調変換部
を有することを特徴とする低消費電力パターン生成装置。
【請求項８】
複数ライン分の階調値を保持するラインメモリと、
現入力ラインの階調値と前記ラインメモリに保持される階調値とを比較し、処理対象画素とその上下左右に隣接する４つの画素が同じ階調値であるか否か判定するパターン判定部と、
処理対象画素が判定条件を満たす場合には、当該処理対象画素の階調値を入力時より小さい階調値に変換する階調変換部と
を有することを特徴とする低消費電力パターン生成装置。
【請求項９】
自発光表示素子をマトリクス状に配置した発光領域と、
同階調値が水平方向にも垂直方向にも連続して現れる同階調パターンの出現時に、当該同階調パターンを構成する一部画素の階調値だけを元の階調値より小さい階調値に変換する階調変換部と、
前記階調変換部により階調変換された画像データを対応するデータ線に供給するデータ線駆動部と、
前記画像データの書き込みタイミングを与える書込信号をゲート線に供給するゲート線駆動部と
を有することを特徴とする自発光表示装置。
【請求項１０】
自発光表示素子をマトリクス状に配置した発光領域と、
同階調値が水平方向にも垂直方向にも連続して現れる同階調パターンの出現時に、当該同階調パターンを構成する一部画素の階調値だけを元の階調値より小さい階調値に変換する階調変換部と、
前記階調変換部により階調変換された画像データを対応するデータ線に供給するデータ線駆動部と、
前記画像データの書き込みタイミングを与える書込信号をゲート線に供給するゲート線駆動部と
を有することを特徴とする電子機器。
【請求項１１】
同階調値が水平方向にも垂直方向にも連続して現れる同階調パターンの出現を判定する処理と、
前記同階調パターンのうち外縁以外に位置する画素の階調値を元の階調値より小さい階調値に変換する処理と
を有することを特徴とする低消費電力パターン生成方法。
【請求項１２】
入力画像データを処理するコンピュータに、
同階調値が水平方向にも垂直方向に連続して現れる同階調パターンの出現を判定する処理と、
前記同階調パターンのうち外縁以外に位置する画素の階調値を元の階調値より小さい階調値に変換する処理と
を実行させるコンピュータプログラム。
【請求項１３】
あるコード体系で規定された表示パターンのデータ構造であって、
前記表示パターンのうち外縁部分を構成する各画素の階調値を与える第１のデータ部分と、
前記表示パターンのうち外縁以外を構成する各画素の階調値を与えるデータ部分であって、前記第１のデータ部分よりも小さい階調値を与える第２のデータ部分と
を有することを特徴とする表示パターンのデータ構造。
【発明の詳細な説明】
【技術分野】
【０００１】
この明細書で説明する発明は、自発光表示装置で消費される電力の削減技術に関する。
なお、発明者らが提案する発明は、低消費電力パターン生成装置、自発光表示装置、電子機器、低消費電力パターン生成方法、コンピュータプログラム及びデータ構造としての側面を有する。
【背景技術】
【０００２】
全ての表示装置に共通する課題に、表示デバイスで消費される電力の抑制や負荷の急変動に対する影響の抑制がある。これらの抑制は、表示装置全体で消費される電力の削減や表示装置に搭載する電源システムの小型化を実現する上で必須の課題となっている。
【０００３】
その一方で、ユーザーは、綺麗で、明るく、視認性の良い画面を好む傾向にある。しかし、このような表示は通常多くの電力を消費する。
このため、低消費電力化と視認性との両立は、今まで困難であると考えられてきた。
【０００４】
現在提案されている低消費電力化技術には、以下に示すものがある。
【特許文献１】特開２０００−２５０４５５号公報  この特許文献には、カラーパレットの最適化により、バックライトの低下時にもコントラストの低下を防止する液晶表示技術が開示されている。
【０００５】
【特許文献２】特開２００５−１１５４２８号公報  この特許文献には、表示態様に応じて電源の供給と停止を制御する技術が開示されている。具体的には、画面表示をしない場合には表示装置に対する電源の供給を全て停止し、進行状況のみを表示する場合にはＬＥＤ等で構成されるサブ表示装置に対してのみ電源を供給する技術が開示されている。
【発明の開示】
【発明が解決しようとする課題】
【０００６】
ところが、特許文献１に記載の技術は、自発光型の表示装置に適用することができない。また、この技術を使用すると、コントラストの視認性を改善できる一方で、画面全体の輝度や色合いが大きく損なわれる問題がある。
【０００７】
一方、特許文献２に記載の技術は、消費電力の削減効果は大きいものの、画像の表示中には利用できない問題がある。
【課題を解決するための手段】
【０００８】
そこで発明者らは、自発光表示装置の低消費電力化と視認性との両立を可能とする技術を提案する。
すなわち、同階調値が水平方向にも垂直方向にも連続して現れる同階調パターンの出現時に、当該同階調パターンを構成する一部画素の階調値だけを元の階調値より小さい階調値に変換する技術を提案する。
【０００９】
ここで、階調値を低減する画素は１画素でも複数画素でも良い。また、階調値を低減する画素の表示パターン内の位置は、表示パターンの輪郭（外縁）に位置する画素でもその内側に位置する画素でも構わない。
【発明の効果】
【００１０】
発明者らの提案する技術の採用により、同階調値が水平方向にも垂直方向にも連続して現れる同階調パターンの表示で消費される電力量を、変換前に比して低減することができる。また、この技術は、同階調パターン以外の表示には一切影響を与えない。このため、表示画面全体としての視認性を低下させずに済む。
【発明を実施するための最良の形態】
【００１１】
以下、発明に係る低消費電力化技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１２】
（Ａ）形態例１
（Ａ−１）システム構成
図１に、発明者らが提案する低消費電力化技術を搭載する表示装置１の機能構成例を示す。なお、図１は、発明に関連する機能部分のみを表している。従って、表示装置１に搭載される機能の一部は省略されている。例えば、入力画像信号に対する各種の信号処理については省略して表している。
【００１３】
図１に示す表示装置１は、低消費電力パターン生成部３と有機ＥＬパネルモジュール５により構成する。
低消費電力パターン生成部３は、特定の条件を満たす表示パターンを低消費電力パターンに変換する処理デバイスである。
【００１４】
この低消費電力パターン生成部３は、特許請求の範囲における「低消費電力パターン生成装置」に対応する。一方、有機ＥＬパネルモジュール５は、表示パネルとその駆動回路（ドライバ）を搭載する表示デバイスである。この有機ＥＬパネルモジュール５には、既存の製品をそのまま使用する。
【００１５】
まず、低消費電力パターン生成部３の構成を説明する。低消費電力パターン生成部３は、ラインメモリ３１、パターン判定部３３、階調変換部３５で構成する。
このうち、ラインメモリ３１は、パターン判定で使用するライン（走査線）数分の入力画像信号（階調値）の格納に使用される。ラインメモリ３１は、例えばＲＡＭ（Random Access Memory）で構成する。
【００１６】
この形態例の場合、ラインメモリ３１は、現在入力中の表示ライン分を含め３ライン分の入力画像信号（階調値）を蓄積できるものとする。すなわち、現在入力中の表示ラインに対して２ライン前までの入力画像信号（階調値）を蓄積できるものとする。なお、現在入力中の表示ラインの入力画像信号（階調値）は、この表示ラインに対して３ライン前に書き込まれた入力画像信号（階調値）を書き換えるように蓄積される。
【００１７】
パターン判定部３３は、判定対象画素の階調値を低消費電力化して出力するか否かを判定する処理デバイスである。この形態例の場合、パターン判定部３３は、判定対象画素とその上下左右に隣接する４つの画素の階調値を比較し、それらの全てが同じ階調値か否かを判定する処理を実行する。このため、ラインメモリ３１の階調値は、現在ラインにクロック同期したタイミングでパターン判定部３３に読み出される。
【００１８】
図２に、判定対象画素とその判定に使用する周辺画素との位置関係を示す。なお、判定対象画素は、現在入力中の表示ラインのうち最新の画素位置に対して垂直方向に１画素上（ちょうど１ライン前）の画素として与えられる。
【００１９】
図２の場合、最新の画素位置は、上端から垂直方向にｎ＋１番目、左端から水平方向にｍ番目である。
従って、判定対象画素は、上端から垂直方向にｎ番目、左端から水平方向にｍ番目の画素として与えられる。図２では、この判定対象画素を太線で囲んで示す。
【００２０】
この判定対象画素に対する判定処理には、判定対象画像の階調値と、その上下左右に位置する４つの画素の階調値が必要となる。
このため、ラインメモリ３１からパターン判定部３３に対しては、判定対象画像を含む４つの画素に対応する階調値が現在入力中の入力画像信号（階調値）にクロック同期したタイミングで逐次読み出される。図２は、これら４つの画素を網掛け表示で示す。
【００２１】
なお、判定対象画素に対して１ライン下に隣接する画素の階調値は、判定対象画素の定義からも明らかなように、パターン判定部３３に現在入力中の表示ラインうち最新の画素位置に対応する階調値である。
【００２２】
パターン判定部３３は、これら５つの階調値が全て同じ場合（すなわち、「b’−c’＝０」かつ「d’−c’＝０」かつ「c−c’＝０」かつ「c”−c’＝０」）、判定対象画素を変換画素であると判定する。
これに対し、パターン判定部３３は、これら５つの階調値が一つでも異なる場合、判定対象画素を非変換画素であると判定する。
【００２３】
この形態例の場合、パターン判定部３３は、変換画素と判定された画素に対しては変換係数１を出力し、非変換画素と判定された画素に対しては変換係数０を出力する。
図３に、判定条件と変換係数との対応関係を示す。ここでの変換係数は、階調変換部３５において階調値に乗算される。
【００２４】
図４に、この形態例で使用する変換係数と係数値との対応関係を示す。図４の場合、変換係数０には「1.00」を使用し、変換係数１には「0.75」を使用する。この変換係数１の使用により、変換画素と判定された各画素の階調値を元の階調値の７５％に低下できる。なお、元の階調値は任意であり、必ずしも１００％輝度である必要はない。
【００２５】
階調変換部３５は、判定対象画素の階調値と対応する変換係数をパターン判定部３３から入力し、階調値に変換係数を乗算する処理動作を実行する。特許請求の範囲では、この階調変換部３５の意味で「階調変換部」の用語を用いる他、階調変換部３５にラインメモリ３１とパターン判定部３３を含めた構成の意味でも「階調変換部」の用語を使用する。階調変換部３５の出力は、有機ＥＬパネルモジュール５に出力される。
【００２６】
次に、有機ＥＬパネルモジュール５の内部構成を説明する。有機ＥＬパネルモジュール５は、タイミング制御部５１、データ線ドライバ５３、ゲート線ドライバ５５及び有機ＥＬディスプレイパネル５７で構成する。
【００２７】
タイミング制御部５１は、階調変換部３５から与えられる表示画像信号に基づいて画面表示に必要なタイミング信号を発生する制御デバイスである。
データ線ドライバ５３は、有機ＥＬディスプレイパネル５７のデータ線を駆動する回路である。データ線ドライバ５３は、表示画像信号をアナログ電圧に変換し、データ線に供給する動作を実行する。データ線ドライバ５３は、周知の駆動回路で構成する。
【００２８】
ゲート線ドライバ５５は、有機ＥＬディスプレイパネル５７のゲート線を線順次走査方式により駆動する回路である。このため、ゲート線ドライバ５５は、アナログ電圧の書込信号をゲート線に供給する動作を実行する。ゲート線ドライバ７も、周知の駆動回路で構成する。
【００２９】
有機ＥＬディスプレイパネル５７は、表示画素がマトリクス状に配置された表示デバイスである。表示画素は、有機ＥＬ素子と画素回路とで構成される。画素回路は、書込信号により選択されたタイミングでアナログ電圧値を書き込むと共に、書き込まれたアナログ電圧に応じた大きさの電流を有機ＥＬ素子に供給する。有機ＥＬ素子は、供給される電流に応じた明るさで発光する。
【００３０】
（Ａ−２）低消費電力パターンの生成動作
ここでは、前述した低消費電力化パターン生成部３における動作内容をフローチャートに従って説明する。
まず、パターン判定部３３は、前述したように入力画像信号の画素位置を基準として判定対象画素を確定し、当該判定対象画素の階調値をラインメモリ３１から取り込む（Ｓ１）。
【００３１】
次に、パターン判定部３３は、判定対象画素を基準に、判定処理で使用する上下左右４つの画素位置から階調値を取り込む（Ｓ２）。前述したように、判定対象画素に対して上、左、右の３方向に対応する画素の階調値はラインメモリ３１から取り込み、判定対象画素に対して下方に対応する画素の階調値は現在入力中の入力画像信号の階調値をそのまま使用する。
【００３２】
次に、パターン判定部３３は、取り込んだ全ての階調値が一致するか否かを判定する（Ｓ３）。肯定結果が得られると（このことは判定対象画素が同階調パターンの構成画素であって、かつ、同階調パターンの外縁画素で囲まれた内側部分の画素であることを意味する。）、パターン判定部３３は、判定対象画素の階調値を変換係数１を用いて変換する（Ｓ４）。
【００３３】
一方、否定結果が得られると（このことは判定対象画素が同階調パターンの構成画素でないか、同階調パターンの外縁画素であることを意味する。）、パターン判定部３３は、判定対象画素の階調値を変換係数０を用いて変換する（Ｓ５）。すなわち、入力時と同じ階調値が出力される。
この後、パターン判定部３３は、入力画像信号の新たな階調値の入力に同期して判定対象画素の画素位置を更新する（Ｓ６）。以上の動作がこの後繰り返し実行される。
【００３４】
（Ａ−３）具体例及び効果
ここでは、同階調値が水平方向にも垂直方向にも連続して現れる同階調パターンの具体例について変換例を説明する。
図６（Ａ）に、同階調パターンの一例を示す。この同階調パターンは、図に示すように水平方向に６画素、垂直方向に６画素の計３６個の画素が全て同じ階調値を有するパターンとして形成される。
【００３５】
なお、当然の前提として、同階調パターンの外側に位置する各画素の階調値は、同階調パターン内の各画素とは階調値が異っている。
このため、同階調パターンの外縁に位置する画素が判定対象画素の場合、パターン判定部３３は、当該画素を全て非変換画素に判定する。
【００３６】
すなわち、パターン判定部３３は、変換係数０（＝1.00）を階調変換部３５に与える。このため、階調変換部３５から出力される該当画素の階調値は、入力時と同じ階調値のまま有機ＥＬパネルモジュール５に出力される。
【００３７】
これに対し、同階調パターンのうち外縁で囲まれた内側部分は（水平方向に４画素、垂直方向に４画素の計１６個の画素は）、いずれもその上下左右に同じ階調値の画素を有している。従って、パターン判定部３３は、これら１６個の画素を変換画素と判定し、変換係数１（＝0.75）を階調変換部３５に出力する。
【００３８】
このため、階調変換部３５から出力される該当画素の階調値は、入力時の７５％に低減された状態で有機ＥＬパネルモジュール５に出力される。
図６（Ｂ）は、変換処理により生成される低消費電力パターンの例である。図６（Ｂ）では、元の階調値の７５％に低減される領域部分を網掛けにより示す。
【００３９】
すなわち、低消費電力パターンは、その中央部分で輝度低下するが、外縁部分では元の輝度で表示される。このため、表示パターンの外形が不明確になることはない。なお、表示パターンの中央部における輝度低下はわずかに２５％であり、低消費電力パターンの視認性が極端に低下することはない。
【００４０】
勿論、同階調パターンの条件を満たさないその他の領域部分については、この低消費電力化パターン生成部３の存在は何ら影響を与えない。従って、表示画面全体としての視認性に影響が生じることはない。
以上のように、表示画面上に現れる同階調パターンが低消費電力パターンに変換されることにより、その表示に必要な消費電力を確実に低下させることができる。
【００４１】
よって、表示画面の全体消費される電力も低下させることができる。この結果、表示装置１がバッテリー電源により動作される場合における動作時間の延長効果を期待できる。また、この表示装置１が商業電源により動作する据え置き型の装置の場合には、装置全体の消費電力を低減できる効果を発揮できる。
【００４２】
参考までに、図７及び図８に、他の同階調パターンについての変換動作例を示す。図７（Ａ）、（Ｂ）、（Ｃ）及び図８（Ａ）、（Ｂ）は、いずれも図中左側が変換前の同階調パターンを示し、図中右側が変換後の低消費電力パターン例を示す。
なお、同階調パターンを与える入力画像信号がカラー信号の場合、各原色信号（例えばＲ（赤）信号、Ｇ（緑）信号、Ｂ（青）信号）はいずれも同じ変換係数で輝度変換される。
【００４３】
（Ｂ）形態例２
（Ｂ−１）システム構成
図９に、発明者らが提案する低消費電力化技術を搭載するキャラクタジェネレータ１１の機能構成例を示す。このキャラクタジェネレータ１１も、特許請求の範囲における「低消費電力パターン生成装置」に対応する。なお、図９には、図１との対応部分に同一符号を付して表している。
【００４４】
図９に示すキャラクタジェネレータ１１は、オリジナルパターンメモリ１３と、低消費電力パターン生成部３と、生成パターンメモリ１５によって構成される。オリジナルパターンメモリ１３は、画面操作を通じて生成されたオリジナルパターンや既存のフォントパターン、アイコン、記号等が格納される記憶装置である。
【００４５】
このオリジナルパターンメモリ１３から低消費電力パターン生成部３に対し、変換対象としての同階調パターンに対応する画像データが供給される。
生成パターンメモリ１５は、低消費電力パターン生成部３の変換処理により生成された表示パターンを格納する記憶装置である。
【００４６】
これらの記憶装置には、ＲＡＭ、ハードディスク装置、光学式記憶装置その他を使用する。
なお、低消費電力パターン生成部３は、形態例１と同じであるので説明を省略する。
【００４７】
（Ｂ−２）処理動作及び効果
このキャラクタジェネレータ１１を用いて生成された表示パターンを用いて表示画像を生成すれば、自発光表示装置に低消費電力パターン生成部３が搭載されていない場合にも、すなわち既に世の中に存在する自発光表示装置についても、低消費電力パターンを含む画面の表示中に消費される電力量を同階調パターンを表示する場合に比して低減させることができる。
【００４８】
（Ｃ）他の形態例
（Ｃ−１）パターン判定部の変形例
【００４９】
（ａ）判定条件の数
前述の形態例においては、判定条件が２つの場合について説明した。すなわち、判定対象画素がその上下左右に位置する４つの画素と同じ階調値である場合と、判定対象画素がその上下左右に位置する４つの画素のいずれかと同じでない場合の２種類の場合について説明した。
【００５０】
しかし、判定条件は３種類以上でも良い。判定条件を増やすことで、より複雑な低消費電力パターンを生成することができる。
ここでは、判定条件が３種類の場合について一例を説明する。なお、説明を簡単にするため、形態例１で説明した２つの判定条件に、更に１つの判定条件を加える場合について説明する。
【００５１】
図１０に、パターン判定部３３が判定時に使用する３種類の判定条件の例を示す。図１０の場合、判定対象画素とその上下左右に位置する４つの画素が全て同じ階調値を有する条件に加え、判定対象画素の左右方向に２画素離れた２つの画素が同じ階調値を有することを独立した１つの判定条件として追加する。
【００５２】
この判定条件を図２の符号を用いて表すと、以下のようになる。すなわち、「b’−c’＝０」かつ「d’−c’＝０」かつ「c−c’＝０」かつ「c”−c’＝０」かつ「a’−c’＝０」かつ「e’−c’＝０」となる。
パターン判定部３３は、この判定条件を満たす判定対象画素に変換係数２を割り当てる。
【００５３】
なお、パターン判定部３３による判定動作は、判定対象画素が変換係数２に対応する判定条件に合致するか否かの判定処理、判定対象画素が変換係数１に対応する判定条件に合致するか否かの判定処理、判定対象画素が変換係数１及び２のいずれにも該当しないかの判定処理の順番に実行される。
【００５４】
ここでは、変換係数２を、図１１に示すように５０％に設定する。これにより、同階調パターンの内側ほど輝度低下するように構成された低消費電力パターンに変換することができる。
【００５５】
なお、変換係数同士は、変換係数０（＝１００％）＞変換係数１＞変換係数２の関係を満たせば、その値自体は任意である。また、複数の判定条件に合致する画素が存在する場合には、変換係数が小さい判定条件を満たす画素として処理する。
【００５６】
図１２及び図１３に、３種類の判定条件（図１０、図１１）を用いる場合に生成される表示パターン例を示す。
図１２は、形態例１と同じ同階調パターン（図６）を階調変換した場合に生成される低消費電力パターン例である。
【００５７】
図１２（Ａ）に示すように正方形状の同階調パターンの場合には、図１２（Ｂ）に示すように新たに中央部分に位置する４つの画素の輝度が５０％低減された低消費電力パターンが得られる。なお、最も暗い中央部分と最も明るい外縁部分の間には、元の階調値の７５％輝度に低減された中間階調の画素が現れる。
【００５８】
このように、図１２（Ａ）に示す正方形状の外形を有する同階調パターンの場合には、３種類の判定条件（図１０、図１１）の適用により２種類の判定条件（図３、図４）を適用する場合よりも輝度低下した画素数を増やすことができる。このため、更なる消費電力の低減効果を期待できる。勿論、表示パターンの外縁は元の明るさを維持しており、表示パターンの視認性は低下しない。
【００５９】
一方、図１３は、形態例１と同じ同階調パターン（図７）を階調変換した場合に生成される低消費電力パターン例である。図１３（Ａ）、（Ｂ）、（Ｃ）に示す３種類の同階調パターンでは３種類の判定条件が使用される。このため、図７の場合よりも輝度の低い画素を増やすことができる。
【００６０】
なお図示していないが、図８に示す同階調パターンの場合には、３種類の判定条件（図１０、図１１）を適用しても、図８と同じ低消費電力パターンしか得られない。このように、判定条件を増やしても、その分だけ輝度値を低下させた画素を増やすことができるわけではない。
【００６１】
ただし、同階調パターンの外縁形状に凹凸が少なく、パターン面積も大きい場合には、判定条件を増やすことで、中央付近に近づくほど輝度が低下する低消費電力パターンを得ることができる。
なお、図１０及び図１１に示した判定条件と変換係数の組み合わせは一例であることは言うまでもない。
【００６２】
例えば判定対象画素の上下左右と判定対象画素の上下方向に２画素離れた位置の画素が全て同じ階調値を有することを階調値の変換条件としても良い。
なお、判定対象画素に対して上下方向に２行以上離れた画素位置の階調値を判定条件に用いる場合には、ラインメモリ３１の記憶行数を増やせば良い。
【００６３】
（ｂ）外縁幅
前述の形態例においては、同階調パターンのうち階調値を変化させずに表示する外縁画素を１画素に設定した。すなわち、同階調パターンの外縁から２画素目以上内側の画素部分から階調値を低下させることができる判定条件を用いる場合について説明した。
【００６４】
しかし、元の階調値のまま出力される外縁幅が２行以上になるように判定条件を定めることもできる。もっとも、表示面積が比較的小さい同階調パターンの場合には、外縁幅を広くすることで階調変換の効果が発揮されずらくなる。結果的に、外縁幅を２行以上に広げる場合には、表示面積が比較的大きい同階調パターンに限られる。
【００６５】
（ｃ）変換係数間の輝度低下率
３種類以上の判定条件を用いる場合には、変換係数間の輝度低下率の変化が一定にならないように設定することもできる。
【００６６】
例えば図１１の場合には、変換係数０から変換係数１への輝度低下率の変化が２５％、変換係数１から変換係数２への輝度低下率の変化が２５％になるように対応関係を設定した。
【００６７】
しかし、変換係数０から変換係数１への輝度低下率の変化を３０％、変換係数１から変換係数２への輝度低下率の変化を２０％とするように変換係数間の輝度低下率を非線形に変化させることもできる。
【００６８】
（Ｃ−２）階調変換部の変形例
前述の形態例においては、入力画像信号がカラー信号として与えられる場合に、カラー信号を形成する全ての原色信号の階調値を一律に階調変換する場合について説明した。
しかし、変換係数を乗算して階調値を低減処理するのは、原色信号の一部のみでも良い。
例えばＲ（赤）信号、Ｇ（緑）信号、Ｂ（青）信号の３原色信号のうちＲ（赤）信号の階調値のみを低減処理しても良い。
【００６９】
（Ｃ−３）電子機器への搭載例
前述した低消費電力パターン生成部は、表示装置やキャラクタジェネレータに搭載する場合だけでなく、各種の電子機器に搭載することができる。なお、ここでの電子機器は、可搬型であるか据え置き型かを問わない。また、自発光表示装置は必ずしも電子機器に搭載しなくても良い。
【００７０】
（ａ）パターン変換装置
低消費電力パターン生成部は、放送形式や通信形態により受信端末に送信される映像信号や各種の記憶媒体に格納する映像信号に対する前処理を実行するパターン変換装置に搭載することができる。
また、低消費電力パターン生成部は、自発光表示装置や自発光表示装置を搭載する電子機器の映像入力端子に外付けされるパターン変換装置に搭載することができる。
【００７１】
（ｂ）放送波受信装置
低消費電力パターン生成部は、放送波受信装置に搭載することができる。
図１４に、放送波受信装置の機能構成例を示す。放送波受信装置１０１は、表示パネル１０３、システム制御部１０５、操作部１０７、記憶媒体１０９、電源１１１及びチューナー１１３を主要な構成デバイスとする。
【００７２】
なお、システム制御部１０５は、例えばマイクロプロセッサで構成される。システム制御部１０５は、システム全体の動作を制御する。操作部１０７は、機械式の操作子の他、グラフィックユーザーインターフェースも含む。
【００７３】
記憶媒体１０９は、表示パネル１０３に表示する画像や映像に対応するデータの他、ファームウェアやアプリケーションプログラムの格納領域として用いられる。電源１１１は、放送波受信装置１０１が可搬型の場合にはバッテリー電源を使用する。勿論、放送波受信装置１０１が据え置き型の場合には商用電源を使用する。
【００７４】
チューナー１１３は、到来する放送波の中からユーザーの選局した特定チャネルの放送波を選択的に受信する無線装置である。
この放送波受信装置の構成は、例えばテレビジョン番組受信機、ラジオ番組受信機に適用する場合に用いることができる。
【００７５】
（ｃ）オーディオ装置
図１５は、再生機としてのオーディオ装置に適用する場合の機能構成例である。
再生機としてのオーディオ装置２０１は、表示パネル２０３、システム制御部２０５、操作部２０７、記憶媒体２０９、電源２１１、オーディオ処理部２１３及びスピーカー２１５を主要な構成デバイスとする。
【００７６】
この場合も、システム制御部２０５は、例えばマイクロプロセッサで構成される。システム制御部２０５は、システム全体の動作を制御する。操作部２０７は、機械式の操作子の他、グラフィックユーザーインターフェースも含む。
【００７７】
記憶媒体２０９は、オーディオデータの他、ファームウェアやアプリケーションプログラムの格納領域である。電源２１１は、オーディオ装置２０１が可搬型の場合にはバッテリー電源を使用する。勿論、オーディオ装置２０１が据え置き型の場合には商用電源を使用する。
【００７８】
オーディオ処理部２１３は、オーディオデータを信号処理する処理デバイスである。圧縮符号化されたオーディオデータの解凍処理も実行される。スピーカー２１５は、再生された音を出力するデバイスである。
【００７９】
なお、オーディオ装置２０１を記録機として用いる場合、スピーカー２１５に替えてマイクロフォンを接続する。この場合、オーディオ処理部２０１は、オーディオデータを圧縮符号化する機能を実現する。
【００８０】
（ｄ）通信装置
図１６は、通信装置に適用する場合の機能構成例である。通信装置３０１は、表示パネル３０３、システム制御部３０５、操作部３０７、記憶媒体３０９、電源３１１及び無線通信部３１３を主要な構成デバイスとする。
【００８１】
なお、システム制御部３０５は、例えばマイクロプロセッサで構成される。システム制御部３０５は、システム全体の動作を制御する。操作部３０７は、機械式の操作子の他、グラフィックユーザーインターフェースも含む。
【００８２】
記憶媒体３０９は、表示パネル３０３に表示する画像や映像に対応するデータファイルの他、ファームウェアやアプリケーションプログラムの格納領域として用いられる。電源３１１は、通信装置３０１が可搬型の場合にはバッテリー電源を使用する。勿論、通信装置３０１が据え置き型の場合には商用電源を使用する。
【００８３】
無線通信部３１３は、他機との間でデータを送受信する無線装置である。この通信装置の構成は、例えば据え置き型の電話機や携帯電話機に適用する場合に用いることができる。
【００８４】
（ｅ）撮像装置
図１７は、撮像装置に適用する場合の機能構成例である。撮像装置４０１は、表示パネル４０３、システム制御部４０５、操作部４０７、記憶媒体４０９、電源４１１及び撮像部４１３を主要な構成デバイスとする。
【００８５】
なお、システム制御部４０５は、例えばマイクロプロセッサで構成される。システム制御部４０５は、システム全体の動作を制御する。操作部４０７は、機械式の操作子の他、グラフィックユーザーインターフェースも含む。
【００８６】
記憶媒体４０９は、表示パネル４０３に表示する画像や映像に対応するデータファイルの他、ファームウェアやアプリケーションプログラムの格納領域として用いられる。電源４１１は、撮像装置４０１が可搬型の場合にはバッテリー電源を使用する。勿論、撮像装置４０１が据え置き型の場合には商用電源を使用する。
【００８７】
撮像部４１３は、例えばＣＭＯＳセンサーとその出力信号を処理する信号処理部で構成する。この撮像装置の構成は、例えばデジタルカメラ、ビデオカメラ等に適用する場合に用いることができる。
【００８８】
（ｆ）情報処理装置
図１８は、携帯型の情報処理装置に適用する場合の機能構成例である。情報処理装置５０１は、表示パネル５０３、システム制御部５０５、操作部５０７、記憶媒体５０９及び電源５１１を主要な構成デバイスとする。
【００８９】
なお、システム制御部５０５は、例えばマイクロプロセッサで構成される。システム制御部５０５は、システム全体の動作を制御する。操作部５０７は、機械式の操作子の他、グラフィックユーザーインターフェースも含む。
【００９０】
記憶媒体５０９は、表示パネル５０３に表示する画像や映像に対応するデータファイルの他、ファームウェアやアプリケーションプログラムの格納領域として用いられる。電源５１１は、情報処理装置５０１が可搬型の場合にはバッテリー電源を使用する。勿論、情報処理装置５０１が据え置き型の場合には商用電源を使用する。
【００９１】
この情報処理装置の構成は、例えばゲーム機、電子ブック、電子辞書、コンピュータ等に適用する場合に用いることができる。
【００９２】
（Ｃ−４）表示装置
前述の形態例の場合、有機ＥＬディスプレイパネルを例に説明した。しかし、この表示制御技術は、その他の自発光表示装置に広く適用できる。例えば無機ＥＬディスプレイパネル、ＦＥＤディスプレイパネル、ＰＤＰディスプレイパネルその他にも適用できる。
【００９３】
（Ｃ−５）コンピュータプログラム
前述の形態例で説明した低消費電力化技術は、処理機能の全てをハードウェア又はソフトウェアで実現するだけでなく、ハードウェアとソフトウェアの機能分担により実現することもできる。
【００９４】
（Ｃ−６）低消費電力パターン
前述の形態例２においては、同階調パターンにある判定条件を適用し、判定条件に対応付けた変換係数を用いて低消費電力パターンを生成する場合について説明した。
このように低消費電力パターン生成部を用いて生成した又は事前にこの種の関係を満たすように生成した低消費電力パターン自体を記憶媒体に格納して、新たな映像コンテンツの制作時に利用しても良い。
【００９５】
この場合、低消費電力パターンには、固有のコードが割り当てられ、コード体系上の一パターンとして管理される。なお、低消費電力パターンは、表示パターンの外縁部分を構成する各画素に第１の階調値を与えるデータ部分と、表示パターンの外縁以外に位置する各画素に前記第１の階調値より小さい第２の階調値を与えるデータ部分とで構成される。
【００９６】
（Ｃ−７）その他
前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００９７】
【図１】表示装置の機能構成例を示す図である。
【図２】判定対象画素とその判定に使用する周辺画素との位置関係を説明する図である。
【図３】判定条件と変換係数との対応関係例を示す図である。
【図４】変換係数と計数値の対応関係例を示す図である。
【図５】低消費電力パターンの生成動作例を示すフローチャートである。
【図６】低消費電力パターンの生成例を示す図である。
【図７】低消費電力パターンの生成例を示す図である。
【図８】低消費電力パターンの生成例を示す図である。
【図９】キャラクタジェネレータの機能構成例を示す図である。
【図１０】判定条件と変換係数との対応関係例を示す図である。
【図１１】変換係数と計数値の対応関係例を示す図である。
【図１２】低消費電力パターンの生成例を示す図である。
【図１３】低消費電力パターンの生成例を示す図である。
【図１４】電子機器の機能構成例を示す図である。
【図１５】電子機器の機能構成例を示す図である。
【図１６】電子機器の機能構成例を示す図である。
【図１７】電子機器の機能構成例を示す図である。
【図１８】電子機器の機能構成例を示す図である。
【符号の説明】
【００９８】
３        低消費電力パターン生成部
１３      オリジナルパターンメモリ
１５      生成パターンメモリ
３１      ラインメモリ
３３      パターン判定部
３５      階調変換部
【図１】
2008020501.tif 000003
【図２】
2008020501.tif 000004
【図３】
2008020501.tif 000005
【図４】
2008020501.tif 000006
【図５】
2008020501.tif 000007
【図６】
2008020501.tif 000008
【図７】
2008020501.tif 000009
【図８】
2008020501.tif 000010
【図９】
2008020501.tif 000011
【図１０】
2008020501.tif 000012
【図１１】
2008020501.tif 000013
【図１２】
2008020501.tif 000014
【図１３】
2008020501.tif 000015
【図１４】
2008020501.tif 000016
【図１５】
2008020501.tif 000017
【図１６】
2008020501.tif 000018
【図１７】
2008020501.tif 000019
【図１８】
2008020501.tif 000020